【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
光源と、この光源から射出された光束を複数の色光に分離する色分離光学系と、この色分離光学系で分離された各色光をそれぞれ画像情報に応じて変調する複数の光変調装置と、各光変調装置で変調された光束を合成して光学像を形成する色合成光学系とを備えたプロジェクタを製造するために、前記色分離光学系を構成する光学部品を収納する光学部品用筐体に対する、前記色合成光学系の位置を調整する色合成光学系の位置調整方法であって、
前記光学部品用筐体内を通る光束の光軸上に白色レーザ光を射出するレーザ光射出工程と、
この白色レーザ光を前記色分離光学系で分離した各色光を、前記色合成光学系の光入射端面に入射させ、前記色合成光学系で合成された光束を検出装置で検出する合成光検出工程と、
この合成光検出工程を実施しながら、前記光学部品用筐体に対する色合成光学系の位置を調整する位置調整工程とを備えていることを特徴とする色合成光学系の位置調整方法。
【請求項２】
請求項１に記載の色合成光学系の位置調整方法において、
前記検出装置はポイントセンサであり、
前記合成光検出工程の検出状態を監視しながら、前記位置調整工程の終了を判定する調整終了判定工程を備えていることを特徴とする色合成光学系の位置調整方法。
【請求項３】
請求項２に記載の色合成光学系の位置調整方法において、
前記調整終了判定工程は、前記ポイントセンサで検出された合成光の面積が最小となる場合に、調整終了と判定することを特徴とする色合成光学系の位置調整方法。
【請求項４】
請求項２または請求項３のいずれかに記載の色合成光学系の位置調整方法において、
前記色合成光学系は、色光合成用のプリズムと、このプリズムの下面に光硬化型接着剤により接着され、前記光学部品用筐体と機械的に固定される固定板とを備え、
前記位置調整工程は、前記光硬化型接着剤が未硬化の状態で実施され、
前記調整終了判定工程の後、前記光硬化型接着剤に光線を照射して、該接着剤を硬化させる接着剤硬化工程を備えていることを特徴とする色合成光学系の位置調整方法。
【請求項５】
請求項４に記載の色合成光学系の位置調整方法において、
前記固定板は、前記プリズムの固定面に形成される膨出部を有し、
前記位置調整工程は、接着剤が未硬化の状態で、かつ、プリズムが膨出部に当接した状態でプリズムを固定板に三次元的に位置調整することを特徴とする色合成光学系の位置調整方法。
【請求項６】
請求項５に記載の色合成光学系の位置調整方法において、
前記光硬化型接着剤は、前記固定板の膨出部によって形成される、前記プリズムの下面と前記固定板との隙間を埋めるように塗布されることを特徴とする色合成光学系の位置調整方法。
【請求項７】
請求項５または請求項６に記載の色合成光学系の位置調整方法において、
前記固定板の膨出部の高さは、前記プリズム下面における切断精度最大公差に対して、５０〜１００％の範囲にあり、該膨出部の曲率半径は、前記プリズム下面の面積に対して、該膨出部の面積が、１〜５０％になるように決定されることを特徴とする色合成光学系の位置調整方法。
【請求項８】
光源と、この光源から射出された光束を複数の色光に分離する色分離光学系と、この色分離光学系で分離された各色光をそれぞれ画像情報に応じて変調する複数の光変調装置と、各光変調装置で変調された光束を合成して光学像を形成する色合成光学系とを備えたプロジェクタを製造するために、前記色分離光学系を構成する光学部品を収納する光学部品用筐体に対する、前記色合成光学系の位置を調整する色合成光学系の位置調整システムであって、
前記光学部品用筐体内を通る光束の光軸上に白色レーザ光を供給するレーザ光射出装置と、
この白色レーザ光を前記色分離光学系で分離した各色光を、前記色合成光学系の光入射端面に入射させ、前記色合成光学系で合成された光束を検出する合成光検出装置と、
この合成光検出装置で検出された合成光に基づいて、前記色合成光学系の位置調整を行う位置調整装置とを備えていることを特徴とする色合成光学系の位置調整システム。
【請求項９】
請求項８に記載の色合成光学系の位置調整システムにおいて、
前記合成光検出装置は、合成光の検出状態を監視しながら、前記色合成光学系の位置調整の終了を判定する調整終了判定部を備えていることを特徴とする色合成光学系の位置調整システム。
【請求項１０】
請求項８または請求項９に記載の色合成光学系の位置調整システムにおいて、
前記色合成光学系は、色合成用のプリズムと、このプリズムの下面に光硬化型接着剤により接着され、前記光学部品用筐体と機械的に固定される固定板とを備え、
前記位置調整装置は、前記プリズムを保持するプリズム保持部と、前記光硬化型接着剤を硬化させる光線を照射する光線照射部とを備えていることを特徴とする色合成光学系の位置調整システム。
【請求項１１】
色合成用のプリズムと、このプリズムの下面に光硬化型接着剤により接着され、光学部品用筐体と機械的に固定される固定板とで構成される色合成光学系であって、
前記固定板は、前記プリズムの固定面に形成される膨出部を有し、
前記プリズムは、該プリズムの少なくとも一部が前記膨出部と当接した状態で前記固定板に接着固定されることを特徴とする色合成光学系。
【請求項１２】
請求項１１に記載の色合成光学系において、
前記光硬化型接着剤は、前記固定板の膨出部によって形成される、前記プリズムの下面と前記固定板との隙間を埋めるように塗布されることを特徴とする色合成光学系。
【請求項１３】
請求項１１または請求項１２に記載の色合成光学系において、
前記固定板の膨出部の高さは、前記プリズム下面における切断精度最大公差に対して、５０〜１００％の範囲にあり、該膨出部の曲率半径は、前記プリズム下面の面積に対して、該膨出部の面積が、１〜５０％になるように決定されることを特徴とする色合成光学系。
【請求項１４】
請求項１〜請求項７のいずれかに記載の色合成光学系の調整方法により、調整された色合成光学系を備えることを特徴とするプロジェクタ。
【手続補正２】
【補正対象書類名】明細書
【補正対象項目名】００１３
【補正方法】変更
【補正の内容】
【００１３】
また、前述の固定板は、前記プリズムの固定面に形成される膨出部を有し、前記位置調整工程は、接着剤が未硬化の状態で、かつ、プリズムが膨出に当接した状態でプリズムを固定板に三次元的に位置調整することが好ましい。


【手続補正３】
【補正対象書類名】明細書
【補正対象項目名】００１４
【補正方法】変更
【補正の内容】
【００１４】
従来のような方法で色合成用のプリズムと固定板とを接着固定する際、図１（ａ）に示すように、切断精度の悪いプリズム１５０を固定板１５２に対して押しつけて固定すると、両面同士がならってしまい、プリズム１５０の蒸着面および側面外形位置が傾くことで、プリズム１５０を位置調整しても、所定の光軸上にプリズム１５０を配置することができなくなる。
本発明では、図１（ｂ）に示すように、固定板１５２の端面に膨出部１５２Ｂが形成され、色合成用のプリズム１５０は、固定板１５２の膨出部１５２Ｂと接触した状態で、紫外線硬化型接着剤１５３により接着されることにより、色合成用のプリズム１５０と固定板１５２の膨出部１５２Ｂとは点で接触し、色合成用のプリズム１５０の切断精度が悪い場合でも、プリズム１５０の蒸着面および側面外形位置を三次元的に位置調整することができ、プリズム１５０の切断精度に影響されずに、プリズム１５０の蒸着面および側面外形位置精度を確保し、プリズム１５０と固定板１５２とを適正に固定できる。


【手続補正４】
【補正対象書類名】明細書
【補正対象項目名】００２０
【補正方法】変更
【補正の内容】
【００２０】
また、前述の色合成光学系において、前記固定板は、前記プリズムの固定面に形成される膨出部を有し、前記プリズムは、該プリズムの少なくとも一部が前記膨出部と当接した状態で前記固定板に接着固定されることが好ましい。
このような構成では、固定板は、プリズムの固定面に形成される膨出部を有し、プリズムは、該プリズムの少なくとも一部が膨出部と当接した状態で接着されるので、プリズムを固定板に対して三次元的に位置調整することができ、前述の位置調整方法と同様な作用および効果を享受することができる。
ここで、前記光硬化型接着剤は、前記固定板の膨出部によって形成される、前記プリズムの下面と前記固定板との隙間を埋めるように塗布されることが好ましい。
さらに、前記固定板の膨出部の高さは、前記プリズム下面における切断精度最大公差に対して、５０〜１００％の範囲にあり、該膨出部の曲率半径は、前記プリズム下面の面積に対して、該膨出部の面積が、１〜５０％になるように決定されることが好ましい。
このような構成では、プリズムと固定板との間に介在する光硬化型接着剤と上記適正な寸法により形成された膨出部により、高精度に位置調整された色合成光学系を安定に維持することができる。